(57)【特許請求の範囲】
【請求項１】
外部装置から検査オーダの情報を受信する受信手段と、
前記受信手段により受信された検査オーダの情報を表示部に表示させる表示制御手段と、
前記受信手段により受信された情報に対応する検査オーダであって、検査開始前であることを示す新規検査状態である検査オーダと、検査が開始され実行中であることを示す検査開始状態である検査オーダと、検査が開始された後検査が終了する前に検査が中断されたことを示す検査保留状態である検査オーダと、検査が開始されかつ完了したことを示す検査終了状態である検査オーダのそれぞれの情報と、当該検査オーダの状態を示す状態情報とを関連付けて記憶部に記憶させる処理手段と、
前記記憶部に記憶されかつ検査保留状態である第一の検査オーダの検査ＩＤと前記受信手段により受信されかつ新規検査状態である第二の検査オーダの検査ＩＤと、が一致するか否かを判定する判定手段と、
前記表示制御手段は、前記判定手段により検査ＩＤが一致すると判定された場合に、警告情報を前記表示部に表示させることを特徴とする医療情報処理装置。
【請求項２】
前記表示制御手段は、前記第一の検査オーダと前記第二の検査オーダとで重複がある場合、前記第二の検査オーダを前記表示部に表示することを禁止することを特徴とする請求項１に記載の医療情報処理装置。
【請求項３】
前記表示制御手段は、前記第一の検査オーダと前記第二の検査オーダとで重複がある場合、前記第一の検査オーダと前記第二の検査オーダとを異なる表示形態で前記表示部に表示することを特徴とする請求項１または請求項２のいずれか１項に記載の医療情報処理装置。
【請求項４】
前記表示制御手段は、前記表示部に警告を表示することにより、検査オーダに重複があることを報知することを特徴とする請求項１乃至請求項３のいずれか１項に記載の医療情報処理装置。
【請求項５】
前記表示部に表示された検査オーダの内、検査開始の指示を受けた検査オーダに対応する検査を開始する検査開始手段を有することを特徴とする請求項１乃至請求項４のいずれか１項に記載の医療情報処理装置。
【請求項６】
前記表示制御手段は、前記医療情報処理装置と検査オーダを送信する前記外部装置とがオンライン状態である場合であって、前記第一の検査オーダと前記第二の検査オーダとで重複がある場合、検査オーダに重複があることを報知することを特徴とする請求項１乃至請求項５のいずれか１項に記載の医療情報処理装置。
【請求項７】
外部装置から検査オーダの情報を受信する受信手段と、
前記受信手段により受信された検査オーダの情報のリストを表示部に表示させる表示制御手段と、
前記受信手段により受信された情報に対応する検査オーダであって、検査開始前であることを示す新規検査状態である検査オーダと、検査が開始され実行中であることを示す検査開始状態である検査オーダと、検査が開始された後検査が終了する前に検査が中断されたことを示す検査保留状態である検査オーダと、検査が開始されかつ完了したことを示す検査終了状態である検査オーダのそれぞれの情報と、当該検査オーダの状態を示す状態情報とを関連付けて記憶部に記憶させる処理手段と、
前記記憶部に記憶されかつ検査保留状態である第一の検査オーダの検査ＩＤと前記受信手段により受信されかつ新規検査状態である第二の検査オーダの検査ＩＤと、が一致するか否かを判定する判定手段と、
前記表示制御手段は、前記判定手段により検査ＩＤが一致すると判定された場合に、該第二の検査オーダを前記リストには表示させないように制御することを特徴とする医療情報処理装置。
【請求項８】
外部装置から検査オーダの情報を受信する受信ステップと、
前記受信ステップで受信された検査オーダの情報を表示部に表示させる表示ステップと、
前記受信ステップで受信された情報に対応する検査オーダであって、検査開始前であることを示す新規検査状態である検査オーダと、検査が開始され実行中であることを示す検査開始状態である検査オーダと、検査が開始された後検査が終了する前に検査が中断されたことを示す検査保留状態である検査オーダと、検査が開始されかつ完了したことを示す検査終了状態である検査オーダのそれぞれの情報と、当該検査オーダの状態を示す状態情報とを関連付けて記憶部に記憶させる処理ステップと、
前記記憶部に記憶されかつ検査保留状態である第一の検査オーダの検査ＩＤと前記受信手段により受信されかつ新規検査状態である第二の検査オーダの検査ＩＤと、が一致するか否かを判定する判定ステップと、
前記判定ステップで検査ＩＤが一致すると判定された場合に、警告情報を表示部に表示させる警告ステップと、を有することを特徴とする医療情報処理方法。
【請求項９】
外部装置から検査オーダの情報を受信する受信ステップと、
前記受信ステップで受信された検査オーダの情報のリストを表示部に表示させる表示ステップと、
前記受信ステップで受信された情報に対応する検査オーダであって、検査開始前であることを示す新規検査状態である検査オーダと、検査が開始され実行中であることを示す検査開始状態である検査オーダと、検査が開始された後検査が終了する前に検査が中断されたことを示す検査保留状態である検査オーダと、検査が開始されかつ完了したことを示す検査終了状態である検査オーダのそれぞれの情報と、当該検査オーダの状態を示す状態情報とを関連付けて記憶部に記憶させる処理ステップと、
前記記憶部に記憶されかつ検査保留状態である第一の検査オーダの検査ＩＤと前記受信手段により受信されかつ新規検査状態である第二の検査オーダの検査ＩＤと、が一致するか否かを判定する判定ステップと、
前記判定ステップで検査ＩＤが一致すると判定された場合に、該第二の検査オーダを前記リストには表示させないように制御する制御ステップと、を有することを特徴とする医療情報処理方法。
【請求項１０】
コンピュータに請求項８または請求項９のいずれか１項に記載の画像処理方法を実行させるためのコンピュータプログラム。
【請求項１１】
請求項１０のコンピュータプログラムが格納されたコンピュータ読み取り可能な記憶媒体。
【請求項１２】
外部装置から検査オーダの情報を受信する受信手段と、
前記受信手段により受信された検査オーダの情報を表示部に表示させる表示制御手段と、
前記受信手段により受信された情報に対応する検査オーダであって、検査開始前であることを示す新規検査状態である検査オーダと、検査が開始され実行中であることを示す検査開始状態である検査オーダと、検査が開始された後検査が終了する前に検査が中断されたことを示す検査保留状態である検査オーダと、検査が開始されかつ完了したことを示す検査終了状態である検査オーダのそれぞれの情報と、当該検査オーダの状態を示す状態情報とを関連付けて記憶部に記憶させる処理手段と、
前記記憶部に記憶されかつ検査保留状態である第一の検査オーダの検査ＩＤと前記受信手段により受信されかつ新規検査状態である第二の検査オーダの検査ＩＤと、が一致するか否かを判定する判定手段と、
前記表示制御手段は、前記判定手段により検査ＩＤが一致すると判定された場合に、警告情報を前記表示部に表示させることを特徴とする医療情報処理システム。
【請求項１３】
外部装置から検査オーダの情報を受信する受信手段と、
前記受信手段により受信された検査オーダの情報のリストを表示部に表示させる表示制御手段と、
前記受信手段により受信された情報に対応する検査オーダであって、検査開始前であることを示す新規検査状態である検査オーダと、検査が開始され実行中であることを示す検査開始状態である検査オーダと、検査が開始された後検査が終了する前に検査が中断されたことを示す検査保留状態である検査オーダと、検査が開始されかつ完了したことを示す検査終了状態である検査オーダのそれぞれの情報と、当該検査オーダの状態を示す状態情報とを関連付けて記憶部に記憶させる処理手段と、
前記記憶部に記憶されかつ検査保留状態である第一の検査オーダの検査ＩＤと前記受信手段により受信されかつ新規検査状態である第二の検査オーダの検査ＩＤと、が一致するか否かを判定する判定手段と、
前記表示制御手段は、前記判定手段により検査ＩＤが一致すると判定された場合に、該第二の検査オーダを前記リストには表示させないように制御することを特徴とする医療情報処理システム。
【発明の詳細な説明】
【技術分野】
【０００１】
本発明は、検査情報を処理する医療情報処理システム、医療情報処理装置、に関するものである。
【背景技術】
【０００２】
近年、病院などの医療機関では、ネットワーク接続による医療情報処理システムが構築されている。
医療情報処理システムでは、患者のＸ線撮影が必要と判断されると、最初に、ＨＩＳ（Ｈｏｓｐｉｔａｌ  Ｉｎｆｏｒｍａｔｉｏｎ  Ｓｙｓｔｅｍ）端末より検査指示が入力される。
【０００３】
そして、検査指示は、依頼先である放射線部門に伝達される。この検査指示の情報は、検査オーダと呼ばれている。検査オーダには、検査の依頼元の部門名、検査項目、患者の個人データなどが含まれている。
【０００４】
放射線部門では検査オーダを受信すると、検査オーダに撮影条件などの情報を付加し、Ｘ線検査システムなどの検査システムへ転送する。Ｘ線検査システムは、受信した検査オーダに応じてＸ線撮影を実施する。
Ｘ線撮影後、Ｘ線撮影により得られたＸ線撮影画像には、検査に関する情報が付加され、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）への転送や、プリント出力が行われる。
Ｘ線撮影システムには、外部から受信した検査オーダに応じたＸ線撮影を順次処理していくだけでなく、運用方法に合わせた拡張機能を持つものもある。例えば、Ｘ線撮影回診車には、オンライン状態で外部から受信した検査オーダを保存し、オフライン状態に切り替えた後も受信した検査オーダに応じたＸ線撮影が可能なものもある。また、複数の患者に対するＸ線撮影を行う場合に、Ｘ線撮影開始後であっても、特定の患者に対するＸ線撮影を保留状態にしておくことが出来るＸ線検査システムもある。
【０００５】
このようなＸ線撮影システムでは、撮影間隔をあける必要がある患者に対するＸ線撮影を一時的に保留状態にしておき、その間に別の患者のＸ線撮影を実施することが出来る。
【０００６】
また、諸事情により、Ｘ線撮影を継続することが出来なくなった患者に対して、保留状態にする本機能を用いることもある。尚、上記説明では、検査としてＸ線撮影を挙げたが、ＭＲＩ、超音波検査などの他の検査においても同様である。
【先行技術文献】
【特許文献】
【０００７】
【特許文献１】特開２００２−２０００６３号公報
【発明の概要】
【発明が解決しようとする課題】
【０００８】
検査システムに対して検査オーダを送信する外部システムには、適切な検査オーダの管理を行うことが出来ないものも存在する。例えば、検査システムで上記の検査保留を行った場合、保留状態の検査と同一の検査を、新規の検査オーダとして検査システムに再送信してしまうことがある。これは、例えば、外部システムが、保留状態の検査オーダを未送信として誤認識してしまうことなどに起因する。これは、外部システムと検査システムとがオフライン状態である場合に検査オーダを保留にしてしまうと、検査オーダが保留になったことが、外部システムに適切に伝達されないことがあるからである。このような外部システムを用いた場合、検査システム上に、保留状態の検査オーダと、同一内容の新規検査オーダとが重複して存在することになる。よって、検査オーダの管理者にとって、検査オーダの管理が煩雑になってしまうという課題が存在した。
【０００９】
特許文献１には、複数のＸ線撮影システムが存在するシステムにおいて、検査オーダを適切に管理することが開示されているが、一つのＸ線撮影システム内に同一内容の検査オーダが重複して存在してしまうことに関する課題は開示されていない。
【００１０】
本発明は、上記課題を鑑みてなされたものであり、検査オーダを受信する医療情報処理装置において、管理者による検査オーダの管理を容易にすることを目的とする。
【課題を解決するための手段】
【００１１】
そこで本発明の実施形態に係る医療情報処理装置は、外部装置から検査オーダの情報を受信する受信手段と、前記受信手段により受信された検査オーダの情報を表示部に表示させる表示制御手段と、前記受信手段により受信された情報に対応する検査オーダであって、検査開始前であることを示す新規検査状態である検査オーダと、検査が開始され実行中であることを示す検査開始状態である検査オーダと、検査が開始された後検査が終了する前に検査が中断されたことを示す検査保留状態である検査オーダと、検査が開始されかつ完了したことを示す検査終了状態である検査オーダのそれぞれの情報と、当該検査オーダの状態を示す状態情報とを関連付けて記憶部に記憶させる処理手段と、前記記憶部に記憶されかつ検査保留状態である第一の検査オーダの検査ＩＤと前記受信手段により受信されかつ新規検査状態である第二の検査オーダの検査ＩＤと、が一致するか否かを判定する判定手段と、前記表示制御手段は、前記判定手段により検査ＩＤが一致すると判定された場合に、警告情報を前記表示部に表示させることを特徴とする。
【発明の効果】
【００１２】
本発明によれば、検査オーダを受信する医療情報処理装置において、管理者による検査オーダの管理を容易にすることが出来る。
【図面の簡単な説明】
【００１３】
【図１】第一の実施形態における医療情報処理システムの構成を示す図である。
【図２】第一の実施形態における医療情報処理システムの処理フローを示す図である。
【図３】外部装置から入力された検査オーダの例を示す図である。
【図４】保留された検査オーダの例を示す図である。
【図５】検査オーダを一覧表示する画面の例を示す図である。
【図６】保留された検査オーダの例を示す図である。
【図７】重複する検査オーダを一覧表示する画面の例を示す図である。
【図８】検査オーダの重複を通知する画面の例を示す図である。
【発明を実施するための形態】
【００１４】
（第一の実施形態）
次に、図面を参照しながら、本発明の第一の実施形態について説明する。
【００１５】
図１は、本実施形態における医療情報処理システムの構成を示す図である。各ブロックは、本実施形態における医療情報処理システムの機能構成の一例を示している。
【００１６】
本実施形態における医療情報処理システムは、一般的なパーソナルコンピュータと同様の構成により実現することが可能である。例えば、ＣＰＵ（セントラルプロセッシングユニット）、検査オーダを管理するためのコンピュータプログラムが格納されたＲＡＭ（ランダムアクセスメモリ）、などの構成により実現することが可能である。
【００１７】
図１において、１０１は、検査オーダを入力する検査オーダ入力部１０１である。検査オーダ入力部は、外部装置から検査オーダを受信する受信手段として機能する。検査オーダは、検査装置に対する検査指示を示す情報である。検査オーダには、検査を依頼する依頼元の部門名や、検査項目、患者の個人データなどが含まれる。検査オーダは、不図示のＲＩＳなどの検査オーダを送信する送信手段を有する外部装置（外部システム）から入力される。外部装置は、検査オーダを送信する送信装置として機能する。検査オーダ入力部１０１は、一般的な外部入力インターフェースなどから構成される。
【００１８】
１０２は、検査オーダ入力部１０１を通じてＲＩＳなどの外部システムから入力された新規検査を記憶する新規検査オーダ記憶部１０２である。新規検査を記憶しておくことでオフライン状態になった場合でも入力された検査オーダを利用した検査を実施することが可能となる。新規検査オーダ記憶部１０２は、ハードディスク、ＲＡＭなどの記憶装置から構成される。
１０３は、保留されている検査を記憶する保留検査オーダ記憶部１０３である。検査オーダ入力部１０１から入力された検査は、医療情報処理システムの管理者からの検査指示に基づき、検査開始後に一旦保留することができる。その際、保留された検査オーダは保留検査オーダ記憶部１０３で記憶される。保留検査オーダ記憶部１０３は、新規検査オーダ記憶部１０２同様に、ハードディスク、ＲＡＭなどの記憶装置から構成される。
１０４は、検査オーダ一覧生成部１０４である。検査オーダ入力部１０１から入力された新規検査は、検査オーダ一覧生成部１０４により、モニターなどの表示手段に一覧表示される。その際、保留された検査もマージして表示する。検査オーダ一覧生成部１０４は、このような一覧表示のためのデータを作成するデータ作成手段として機能する。ここでは新規検査と保留検査の一覧を生成する。また、一覧生成時には新規と保留に同じ検査情報がある場合は、保留検査だけを表示するように処理することも可能である。
１０５は、ＣＲＴや液晶モニターなどの表示装置（表示手段）に、放射線画像や検査情報を表示する表示部１０５である。１０４で生成された検査オーダの一覧も表示手段に表示される。表示部１０５は、検査オーダを表示手段に表示するための表示制御手段として機能する。また、本実施形態における医療情報処理システムでは、保留状態となった第一の検査オーダと、新規に入力された第二の検査オーダとで重複があった場合、管理者に対する警告（報知）を行う。従って、表示部１０５は、管理者に対して報知を示す情報を表示手段に表示して報知を行うための報知手段としても機能する。
１０６は、表示部１０５に表示された放射線画像や検査オーダに対して、検査の開始や保留、終了などの指示を行うマウスやキーボードなどの操作入力部１０６である。操作入力部１０６は、検査オーダに関する管理者から検査指示を入力するための入力手段として機能する。
１０７は検査オーダの状態を制御する検査状態制御部１０７である。１０１の検査オーダから入力された新規オーダは操作入力部１０６の指示によって検査開始、保留、終了といった状態に遷移することができる。つまり、検査状態制御部１０７は、所望の検査オーダを検査開始状態に設定する検査開始設定手段、保留状態を設定する保留設定手段、終了状態を設定する終了設定手段などとして機能する。検査保留状態になった検査オーダは、検査状態制御部１０７によって保留検査オーダ記憶部に記憶される。
１０８は検査オーダ入力制御部である。検査オーダ入力部１０１から入力を行うかどうかの制御をおこなう。本実施形態における医療情報処理システムは、回診運用なども想定している。よって、一時的に、外部装置とのネットワークが切断されたオフライン環境に切り替えても運用可能である。オフライン環境時は、検査オーダ入力部を利用して外部システムから検査オーダを入力することはせず、新規検査オーダ記憶部に記憶された検査オーダを利用して検査オーダ一覧を生成する。
１０９は、デジタルＸ線撮影装置で撮影された放射線画像を医療情報処理システムへ入力する画像入力部である。ネットワークを介して入力される場合やＣＤ−ＲＯＭやＤＶＤなどのメディアを経由して入力される場合もある。
１１０は、入力された放射線画像（Ｘ線撮影画像）を記憶する画像保持部１１０である。画像保持部１１０は、ハードディスクなどの画像を記憶することが可能な記録装置などから構成される。
１１１は、画像や検査情報などを外部に転送するための検査情報出力部１１１である。検査情報出力部１１１は、外部出力インターフェースなどから構成される。
１１２は、各部１０１〜１１１を相互に接続するシステムバスである。
【００１９】
次に、図２に示す処理フローを用いて、本実施形態における医療情報処理システムの動作について具体的に説明する。図２は、本実施形態における医療情報処理システムの処理フローを示す図である。尚、図２で示される各処理フローは、図１で示した医療情報処理システムの各構成によって、実施される。
【００２０】
（ステップＳ２０１）ステップＳ２０１では、現在、外部装置との接続が断たれたオフライン状態かどうか判断する。オフラインは主に回診用途で用いられるモードである。オフライン状態でないと判断されると、ステップＳ２０３に処理を進める。オフライン状態であると判断されると、ステップＳ２０２に処理を進める。
（ステップ２０３）ステップ２０３では、外部装置から検査オーダを入力（受信）する。検査オーダは、一件の検査だけでなく、複数の検査を入力することも可能である。図３は、検査オーダ入力部１０１から入力される検査オーダの例である。この例では３０１に示すように患者情報と検査情報を含む検査オーダが複数入力されている。検査オーダの入力後、ステップＳ２０４に処理を進める。
（ステップＳ２０４）ステップＳ２０４には、ステップＳ２０３で入力された検査オーダを、新規検査オーダ記憶部１０２に記憶する。新規検査オーダ記憶部１０２に検査オーダを記憶しておくことによって、外部装置とのネットワークが切断された場合であっても、記憶されている検査オーダに従って検査を実施することが可能となる。検査オーダの記憶後、ステップＳ２０５に処理を進める。
（ステップＳ２０２）ステップＳ２０２では、新規検査オーダ記憶部１０２から新規検査オーダを読み込む。これは、外部装置と接続状態だったときに記憶された検査オーダを読み込む処理である。読み込み処理後、ステップＳ２０５に処理を進める。
（ステップＳ２０５）ステップＳ２０５では、保留検査オーダ記憶部１０３から保留状態の検査オーダを読み込む。図４は、保留検査オーダ記憶部１０３に記憶されている保留検査オーダの例である。この例では３０１に示すように１件の検査が保留状態になっている。この例では１件だけであるが複数検査の保留も実施可能である。読み込み処理後、ステップＳ２０６に処理を進める。
（ステップＳ２０６）ステップＳ２０６では、検査オーダ一覧生成部１０４が、ステップＳ２０２またはステップＳ２０３で得られた新規検査オーダとＳ２０５で読み込んだ保留検査オーダから検査一覧を作成する。
【００２１】
図５は、図３に示した新規検査オーダと図４に示した保留検査オーダをリスト表示したＧＵＩ例５０１である。１つのリストに新規と保留の検査オーダが同時に表示５０２されている。検査一覧を生成する際には、新規検査と保留検査とに重複する検査（検査内容が同一である検査）があった場合、保留検査のみを表示するようにしても良い。これは、同一内容の検査オーダが表示されてしまうと、医療情報処理システムの管理者が混乱し、検査オーダの管理が煩雑になるおそれがあるためである。
【００２２】
図６は、保留検査オーダ記憶部１０３に記憶されている保留検査オーダの例である。この例では保留になっている検査情報６０１が図３に含まれる新規検査オーダと同じものになっている。図７は、図３に示した新規検査オーダと図６に示した保留検査オーダをリスト表示したＧＵＩ例７０１である。新規と保留に同じ検査オーダが存在したため保留検査だけを表示７０２している。
【００２３】
本実施形態では、検査ＩＤ、患者名、患者ＩＤ、受付番号、予約済手続きＩＤが同じものを同じ検査として扱う。しかしながら、検査が同一であるか否かを判定する方法は、上記項目に限らなくても良い。また、管理者からの指示に基づき、上記項目のいずれかを選択し、選択された項目が同一であった場合に、検査が同一であるとみなすようにしても良い。検査一覧の生成後、ステップＳ２０７に処理を進める。
【００２４】
（ステップＳ２０７）ステップＳ２０７では、現在外部装置と接続状態（オンライン状態）であり、重複検査があったか否かを判断する。判断方法としては、上記説明で挙げた項目が同一であるか否かによって判断する。重複検査があると判断された場合、ステップＳ２０８に処理を進める。重複検査がないと判断された場合、ステップＳ２０９に処理を進める。
（ステップＳ２０８）ステップＳ２０８では、ステップＳ２０７において重複検査があると判断されているため、管理者に対して警告（報知）を行う。警告の方法としては、例えば、図８に示すような警告画面をモニターなどの表示手段に表示させても良い。図８は、オンライン状態で図７に示す重複検査について保留検査のみの表示を行った場合に表示される画面である。タイトル８０２とメッセージ８０３、確認ボタン８０４を持つ確認ダイアログ８０１を表示する。
（ステップＳ２０９）ステップＳ２０９では、表示部１０５の制御により、ステップＳ２０６で生成された検査オーダの検査一覧を表示手段に表示する。検査一覧には、新規検査と保留検査とが同時に表示される。検査一覧の表示後、ステップＳ２１０に処理を進める。
（ステップＳ２１０）ステップＳ２１０では、Ｓ２０９で表示された検査一覧から、管理者の検査指示に基づき検査オーダを選択し、選択された検査オーダに対応する検査を開始する。ここでは、検査状態制御部１０７が検査開始手段として機能する。ここでの検査とは、例えば、Ｘ線撮影、ＭＲＩ、超音波診断などである。検査開始時には外部装置に対し、検査が開始されたことを示す情報を送信する。検査開始後、ステップＳ２１１に処理を進める。
（ステップＳ２１１）ステップＳ２１１では、管理者から、検査オーダを保留状態にする旨の指示があるか否かを判定する。保留状態にする旨の指示がある場合、ステップＳ２１２に処理を進める。保留状態にする旨の指示がない場合は、ステップＳ２１３に処理を進める。
（ステップＳ２１２）ステップＳ２１２では、管理者から保留状態にする旨の指示があった検査オーダを保留状態にする。そして、保留状態になった検査オーダを保留検査オーダ記憶部１０３に記憶する。保留検査オーダ記憶部１０３に記憶した後、ステップＳ２０１に処理を戻す。
（ステップＳ２１３）ステップＳ２１３では、外部装置と医療情報処理装置との間のオンライン／オフライン切り替えが行われたか否かを判断する。オンライン／オフライン切り替えが行われた場合、ステップＳ２１４に処理を進める。オンライン／オフライン切り替えが行われていない場合、ステップＳ２１５に処理を進める。
（ステップＳ２１４）ステップＳ２１４では、オンライン／オフラインの切り替え処理を行い、ステップＳ２１１に処理を戻す。現在のシステムの状態を切り替え、切り替えられた状態はステップＳ２０１の判断に用いられる。
（ステップ２１５）ステップＳ２１５では、管理者から検査終了が指示されたか否かを判定する。検査終了が指示されていないと判定された場合、ステップＳ２１６に処理を進める。検査終了が指示されたと判定された場合、ステップＳ２１７に処理を進める。
（ステップＳ２１６）ステップＳ２１６では、その他の処理を行う。その他の処理後、ステップＳ２１１に処理を戻す。
（ステップＳ２１７）ステップＳ２１７では、検査により取得された情報（Ｘ線撮影が画像など）、検査情報を表示手段に表示させる。表示後、ステップＳ２１８に処理を進める。
（ステップＳ２１８）ステップＳ２１８では、医療情報処理装置の検査状態を検査終了状態に変更し、検査を終了させる。
【００２５】
上記説明したように、本実施形態の処理によれば、外部装置が適切な検査オーダの管理が出来ない場合であっても、警告表示を行うことによって、管理者の注意を促し、管理者による検査オーダの管理を容易にすることが出来る。また、新規検査オーダと保留検査オーダとに重複があった場合、新規検査オーダを表示しないことによって、検査一覧表示の視認性を確保し、管理者が混乱することを防止することが可能となる。
【００２６】
（第二の実施形態）
第一の実施形態では、同一検査オーダの判断として患者名、患者ＩＤ、受付番号、予約済手続きＩＤを用いたが、これに限るものではない。例えば、同一検査判定用の特異なＩＤ情報を各検査オーダに付加するようにしても良い。
【００２７】
また、第一の実施形態では、新規検査オーダと保留検査オーダとに重複があった場合の警告（報知）として、図８に示すＧＵＩの表示を行った。しかしながら、音声などの異なる形態の報知を行っても良い。
【００２８】
また、第一の実施形態では、新規検査オーダと保留検査オーダとに重複があった場合、新規検査オーダを表示しない処理を行った（新規検査オーダの表示禁止）。しかしながら、検査一覧中の新規検査オーダ部分のみを半透明表示、もしくは異なる色の表示などの異なる表示形態で表示するようにしても良い。
【００２９】
また、上記実施形態の機能を実現する様に各種のデバイスを動作させる様に該各種デバイスと接続された装置あるいはシステム内のコンピュータを用いても良い。例えば、前記実施形態機能（例えば、図２のフローチャートにより実現される機能）を実現するためのソフトウエアのプログラムコードを供給し、そのシステムあるいは装置のコンピュータ（ＣＰＵあるいはＭＰＵ）を格納されたプログラムに従って前記各種デバイスを動作させることによって実施しても良い。
【００３０】
またこの場合、前記ソフトウエアのプログラムコード自体が前述した実施形態の機能を実現することになる。よって、そのプログラムコード自体、及びそのプログラムコードをコンピュータに供給するための手段、例えばかかるプログラムコードを格納した記憶媒体も、本発明を構成する。
【００３１】
かかるプログラムコードを格納する記憶媒体としては例えばフロッピー（登録商標）
ディスク、ハードディスク、光ディスク、光磁気ディスク、ＣＤ−ＲＯＭ、磁気テープ、不揮発性のメモリカード、ＲＯＭ等を用いることが出来る。これらは、いずれもコンピュータ読み取り可能な記憶媒体である。
【００３２】
また、コンピュータが供給されたプログラムコードを実行することにより、前述の実施形態の機能が実現されるだけではなく、そのプログラムコードがコンピュータにおいて稼働しているＯＳ（オペレーティングシステム）も実施形態に含まれる。また、他のアプリケーションソフト等と共同して前述の実施形態の機能が実現される場合にもかかるプログラムコードは本発明の実施形態に含まれる。
【図１】
0005847405.tif 000002
【図２】
0005847405.tif 000003
【図３】
0005847405.tif 000004
【図４】
0005847405.tif 000005
【図５】
0005847405.tif 000006
【図６】
0005847405.tif 000007
【図７】
0005847405.tif 000008
【図８】
0005847405.tif 000009